(57)【要約】【課題】薬品容器を固定でき、背中などに塗布することのできる使い勝手のよい孫の手、および、折りたたんで携行でき、関節の可動領域が狭い人にも操作できるよう、所定の角度で固定できる孫の手を提供する。【解決手段】孫の手１において、一端に掻痒部４を有し、他端に薬品容器を保持する容器保持部６を有し、容器保持部６は、薬品容器のキャップ装着用の雄ねじ部を挿通して保持する。また、全体の略中央でヒンジ部５、７を介して連結される第１本体部２と第２本体部３とからなり、使用時には少なくとも２つのいずれかの所定の角度で、第１本体部２と第２本体部３とを固定できる。【選択図】図１
2014233587.tif 000002
【特許請求の範囲】
【請求項１】
一端に掻痒部（４）を有し、他端に薬品容器を保持する容器保持部（６）を有した孫の手（１）において、
前記容器保持部は、薬品容器のキャップ装着用の雄ねじ部（１４）を挿通して保持することを特徴とする孫の手。
【請求項２】
全体の略中央でヒンジ部（５、７）を介して連結される第１本体部（２）と第２本体部（３）とからなり、使用時には少なくとも２つのいずれかの所定の角度で、該第１本体部と該第２本体部とを固定できることを特徴とする請求項１に記載の孫の手。
【請求項３】
前記容器保持部は、穴（６ａ）と押圧部材（６ｂ）を有し、
前記穴に前記雄ねじ部を挿通し、前記押圧部材にて押圧固定することを特徴とする請求項１または２に記載の孫の手。
【請求項４】
前記掻痒部は、半径の異なる３つの球形面からなり、もっとも半径の大きな球形面（４ａ）を下段に、つぎに半径の大きな球形面（４ｂ）を中段に、もっとも半径の小さな球形面（４ｃ）を上段に配した三重構造を有し、上段の球形面と中段の球形面との半径の比は１：７から１：１０であることを特徴とする請求項１から３のいずれか一項に記載の孫の手。
【請求項５】
前記他端に、前記第２本体部から略直角に突出する、先端が半円筒状の突出部（８）を有することを特徴とする請求項１から４のいずれか一項に記載の孫の手。
【請求項６】
前記突出部を前記他端の側に引き出し、前記第２本体部との間に繊維シート部材をはさんで固定することを特徴とする請求項５に記載の孫の手。
【発明の詳細な説明】
【技術分野】
【０００１】
本発明は、孫の手および薬品塗布具に関する。
【背景技術】
【０００２】
高齢になると、体の柔軟性が失われるため、背中などの手の届きにくい部位にかゆみを感じて掻く場合に、孫の手が利用されている。また、加齢だけでなく、障がいや事故などにより、肩や肩甲骨などの関節の可動領域の狭い人においても、同様に、孫の手を利用して背中などを掻くことが行われている。たとえば、特許文献１はこのような器具を開示している。
【０００３】
特に高齢者では、老人性皮膚掻痒症が起きやすくなり、皮膚のかゆみを感じることが多くなる。このような場合や、背中に筋肉痛を感じたりした場合などでは、適切な薬品を塗布することが望ましい。特許文献２は、一端に掻く部分を設け、他端に薬品容器を保持する部分を設けて、かゆい部分を掻くほか、市販の薬品を保持して、手の届きにくい背中等の患部に薬品を塗布できるようにした孫の手を開示している。
【先行技術文献】
【特許文献】
【０００４】
【特許文献１】特開平１１−１０４１９６号公報
【特許文献２】特開２００６−２８０８３３号公報
【発明の概要】
【発明が解決しようとする課題】
【０００５】
しかしながら、上記した特許文献２のものは、薬品容器の底部付近でクランプするものであるため、背中などの目に見えない部分に塗布する場合、塗布面と容器を保持する箇所が離れており、馴れない人には操作がしづらく、また、塗布面を支点として倒れやすく、筋力の低下した高齢者などには扱いづらいものであった。また、塗布面の軸が底面の軸に対して傾いているタイプの薬品容器は使用しづらかった。
【０００６】
さらに、特許文献１、２のものは、使用時の本体部が略直線状であるため、加齢により関節の可動領域がさらに狭くなった人や、事故等で極度に関節の可動領域が狭くなった人にとっては、腕が十分に上がりにくいため利用しにくいものであった。
【０００７】
本発明は、上述した問題点に鑑みてなされたものであり、掻痒部の他に容器保持部を有し、馴れない人にも習熟を要することなく使用可能であり、多くの種類の薬品容器を使用することができる孫の手を提供すること、および、携行しやすく、加齢などによってさらに腕が上がりにくくなった人にも使い勝手のよい孫の手を提供すること目的とする。
【課題を解決するための手段】
【０００８】
上記目的を達成するためになされた本発明は、一端に掻痒部を有し、他端に薬品容器を保持する容器保持部を有した孫の手において、容器保持部は、薬品容器のキャップ装着用の雄ねじ部を挿通して保持することを特徴とする。
【０００９】
この構成によれば、背中に手の届きにくい人でも、掻痒部により背中の痒みを解消できるほか、薬品保持部により、薬品を手の届かない背中等に塗布することができる。また、容器保持部は、薬品容器のキャップ装着用の雄ねじ部を挿通して保持するため、塗布面と皮膚とは安定した関係を保つことができ、薬品塗布を容易に行なうことができるという効果を奏する。
【００１０】
好適な態様において、全体の略中央でヒンジ部を介して連結される第１本体部と第２本体部とからなり、使用時には少なくとも２つのいずれかの所定の角度で、第１本体部と第２本体部とを固定できるものとすることができる。
【００１１】
この構成によれば、ヒンジ部を介して連結されるので、折りたたみ可能なものとすることができ、携行に適するものとできるほか、少なくとも２つのいずれかの所定の角度で第１本体部と第２本体部とを固定できるので、身体の自由が利きにくくなった人でも、使いやすい角度で固定して使用することができ、掻痒部または薬品容器を保持した薬品保持部を背中等に作用させ、かゆみを解消したり、薬品を塗布したりすることができる。
【００１２】
好適な態様において、容器保持部は、穴と押圧部材を有し、穴に薬品容器の雄ねじ部を挿通し、押圧部材にて押圧固定するものとすることができる。この構成によれば、薬品容器を確実に固定することができ、また、簡単な操作で薬品容器を着脱できるものとすることができる。
【００１３】
好適な態様において、掻痒部は、半径の異なる３つの球形面からなり、もっとも半径の大きな球形面を下段に、つぎに半径の大きな球形面を中段に、もっとも半径の小さな球形面を上段に配した三重構造を有し、上段の球形面と中段の球形面との半径の比は１：７から１：１０であるものとすることができる。
【００１４】
この構成によれば、掻痒部が皮膚に接する場合、上段に配置されたもっとも半径が小さな球形面と共に、中段に配置された２番目に半径の大きな球形面が接するようにすることができるので、もっとも半径が小さな球形面に、過度に力がかかることを防ぐことができ、皮膚に傷が付くことを防ぐことができる。また、このことにより、もっとも半径が小さな球形面の半径を小さなものとすることができるため、筋力が低下した人による弱い力であっても、皮膚に適度な刺激を与えることができ、確実にかゆみを解消することができる。また、下段に配置されたもっとも半径が大きな球形面は、掻痒部が皮膚の面上を移動する際に、皮膚が受ける力がなだらかに増加、減少するため、引っかかりにくくなり、皮膚を傷つけることがない。また、掻痒部が傾いて接したとしても、片当りして皮膚を傷つけることがない。
【００１５】
好適な態様において、他端に、第２本体部から略直角に突出する、先端が半円筒状の突出部を有するものとすることができる。この構成によれば、布またはティッシュペーパーなどを、ゴムバンドなどを利用して固定すれば、軟膏剤タイプの薬品を背中等に塗布することができる。
【００１６】
好適な態様において、突出部を他端の側に引き出し、第２本体部との間に繊維シート部材をはさんで固定するものとすることができる。この構成によれば、布またはティッシュペーパーなどを他部材なしに固定可能なものとすることができ、軟膏剤タイプの薬品を背中等に塗布することができる。
【発明の効果】
【００１７】
本発明によれば、薬品容器を保持する部分を薬品容器の塗布面近傍の雄ねじ部としたことにより、動きが安定し、薬品を塗りやすいものとすることができる。また、塗布面の軸が容器底面の軸に対して傾いているタイプの容器を使用することができる。
【００１８】
また、全体の略中央でヒンジ部を介して連結される第１本体部と第２本体部とからなり、使用時には少なくとも２つのいずれかの所定の角度で、該第１本体部と該第２本体部とを固定できる構成にあっては、折りたたむことができるため、旅行などの外出に際して、携行しやすいものとすることができる。また、所定の角度で固定できるため、高齢者や事故等のケガの後遺症により、手が上がりにくくなった人にも使いやすいものとすることができる。
【図面の簡単な説明】
【００１９】
【図１】使用時の状態を表す斜視図である。
【図２】折りたたんだ状態を表す斜視図である。（ａ）は主に第１本体部から見た図であり、（ｂ）は主に第２本体部から見た図である。
【図３】主要部品を表す分解図である。
【図４】第１本体部と第２本体部の回動の様子を示す側面図である。
【図５】掻痒部の側面の一部を拡大して示す図である。
【図６】ラッチと受け溝の関係を表す模式図である。
【図７】薬品容器をキャップを外した状態で示す図である。
【図８】薬品容器を装着した様子を示す図である。
【図９】別の使用方法を示す図である。
【図１０】容器保持部の変形例を示す図である。
【図１１】突出部の変形例を示す図である。
【発明を実施するための形態】
【００２０】
以下、本発明の孫の手の具体的な実施形態について図面を参照しつつ説明する。図１〜図４に示すように、本発明の孫の手１は、第１本体部２と第２本体部３とからなり、略中央で折りたたむことができる。また、第１本体部２と第２本体部３との位置関係を、所定の角度で固定できるようになっている。
【００２１】
第１本体部２には、一端側に掻痒部４が設けられており、他端側にヒンジ部５が設けられている。掻痒部４は、孫の手として使用される場合に皮膚に接する部分であり、図５に示すように、凸状球形面４ａと、下部突起４ｂと、上部突起４ｃとからなる三重構造を有している。
【００２２】
この場合の三重構造とは、もっとも半径の大きな球形面（凸状球形面４ａ）を下段に、つぎに半径の大きな球形面（下部突起４ｂ）を中段に、もっとも半径の小さな球形面（上部突起４ｃ）を上段に配した構造である。
【００２３】
さらに詳しく述べると、凸状球形面４ａ上には、凸状球形面４ａより半径の小さい球形面状の下部突起４ｂが複数（１９個）設けられている。さらに各下部突起４ｂには、凸状球形面４ａから見た最上部に、下部突起４ｂより半径の小さい球形面状の上部突起４ｃが設けられている。本実施形態では、凸状球形面４ａを約ＳＲ２５［ｍｍ］、下部突起４ｂを約ＳＲ１．３［ｍｍ］、上部突起４ｃを約ＳＲ０．１６［ｍｍ］、上部突起４ｃの下部突起４ｂに対する突出量を０．０７［ｍｍ］として構成した。この場合、上段の球形面である上部突起４ｃと中段の球形面である下部突起４ｂとの半径の比は、約１：８．１であるが、１：７から１：１０であればよい。
【００２４】
図１、２に示したように、第２本体部３には、一端側に容器保持部６と突出部８と溝９が設けられており、他端側にヒンジ部７が設けられている。容器保持部６には、穴６ａと固定部材６ｂがあり、後述するように薬品容器１２が固定できるようになっている。なお、本実形態では、第１本体部２、第２本体部３の長さを、それぞれ略３００［ｍｍ］として構成した。したがって、孫の手１は、全体として、一端に掻痒部４を有し、他端に容器保持部を有し、図１のように第１本体部２と第２本体部３との相互の角度を１８０度としたとき、全長は略６００［ｍｍ］程度となる。
【００２５】
第１本体部２のヒンジ部５と、第２本体部３のヒンジ部７について説明する。ヒンジ部５、７は、第１本体部２と第２本体部３とを、図４に示すように、相互の角度を約０度から約１８０度の範囲で回動可能に結合している。図２に示すように、ヒンジ部５には、受け溝１０があり、ヒンジ部７にはラッチ１１があって、受け溝１０とラッチ１１とで、ラッチ構造を形成し、ラッチ１１の先端が受け溝１０に入り、第１本体部２と第２本体部３との相対的な動きを規制することにより、全体が所定の角度で固定される。
【００２６】
図４に実線で示したときのラッチ１１と受け溝１０の関係を図６（ａ）、（ｂ）に示した。これは、第２本体部３に対して第１本体部２を９０度の角度で固定しようとするときのものである。なお、ラッチ１１の周囲の第２本体部３は、煩雑となるため省略してある。図６に示したように、受け溝１０は、受け溝１０ａ〜受け溝１０ｅの５つが設けられ、それぞれ第１本体部２と第２本体部３とを、受け溝１０ａが０度、受け溝１０ｂが９０度、受け溝１０ｃが１２０度、受け溝１０ｄが１５０度、受け溝１０ｅが１８０度に固定するためのものである。
【００２７】
したがって、図４に実線で示した状態は、図６（ｂ）に示したように、ラッチ１１の先端が受け溝１０ｂに入っている場合である。また、図１の状態は、ラッチ１１の先端が受け溝１０ｅに入っている場合であり、図２の状態は、ラッチ１１の先端が受け溝１０ａに入っている場合である。
【００２８】
ラッチ１１は、図２（ｂ）に示すように、第２本体部３の表面に一部が露出し、この面に滑り止めのための複数の溝が設けてあり、指を掛けられるようになっている。図６（ａ）において、ラッチ１１は、不図示の指により先端が受け溝１０から退避させられており、この状態では、第１本体部２と第２本体部３とは、相互の角度を約０度から約１８０度の範囲で自由に回動する。ラッチ１１はコイルばねで加圧されており、指を放すと矢印で示した方向に移動し、先端が受け溝１０ｂに入り、図６（ｂ）に示した状態となり、第１本体部２と第２本体部３の相互の角度は固定される。
【００２９】
容器保持部６は、図７（ａ）、（ｂ）に示したような液体状の薬品を入れた薬品容器１２を保持するために設けられており、薬品容器のキャップを装着するための雄ねじ部１４を保持するようになっている。
【００３０】
図１〜３に示す穴６ａは、薬品容器１２の雄ねじ部１４を挿通し、固定部材６ｂを第２本体部３内に置かれた２つのコイルばね６ｃで加圧し、薬品容器の雄ねじ部１４を一方向から押圧して穴６ａ内に固定する。図８に図７（ａ）の薬品容器を固定した様子を示す。本実施形態では、穴６ａはφ２７［ｍｍ］とした。
【００３１】
突出部８は後述するように、軟膏やゲル状の薬品を塗布する際に使用する部分であり、突出部８は、第２本体部３から略直角に突出し、の先端は、Ｒ２．５〜Ｒ５程度の半円筒面となっている。溝９は、突出部８にティッシュペーパーや綿布をかぶせて固定する際、ゴムバンドを収めるために使用する。
【００３２】
なお、材質については、特に限定しないが、金属や、合成樹脂が利用できる。特に量産には、合成樹脂を射出成形により製造すれば、安価に生産することができる。
【００３３】
（使用方法）
使用方法について述べる。初期状態を図２のように折りたたんだ状態とする。この状態では、受け溝１０とラッチ１１とによるラッチ構造により、第１本体部２と第２本体部３との位置関係は、相互の角度を０度に固定された状態であり、携行する際、バッグの中などで開いたりしないようになっている。
【００３４】
使用する際は、第２本体部３の表面に露出したラッチ１１を、指で容器保持部６側へスライドして受け溝１０ａから退避させ、固定状態を解除する。するとヒンジが可動状態となり、第１本体部２と第２本体部３とを開くことができる。開いたら、所定の角度で、ラッチ１１をいずれかの受け溝１０内に入れ、固定する。
【００３５】
本実施形態では、図４に示すように、使用時に、９０度、１２０度、１５０度、１８０度の４箇所の角度が選択できる。これは、図６（ａ）、（ｂ）に示した受け溝１０ｂ〜１０ｅの位置によるもので、受け溝１０の設け方により、他の角度であってもよい。
【００３６】
孫の手として使用する場合は、第１本体部２と第２本体部３とを開いて、所定の角度に固定したのち、第２本体部３等の任意の部分を手で握り、掻痒部４を背中などの掻きたい部位に接触させて使用する。
【００３７】
掻痒部４は、前述のように三重構造を有している。皮膚は柔らかく、弾力があるため、弱い力で押し当てた場合であっても、図５示す上部突起４ｃだけでなく、下部突起４ｂも皮膚に接する。このため、かゆみが解消されずに、より強い力で孫の手１を皮膚に接触させようとした場合であっても、下部突起４ｂによって、上部突起４ｃの先端だけが深く皮膚に入り込むことがなく、先端がより小さな半径で形成された上部突起４ｃに、過度に力がかかることを防いでいる。
【００３８】
したがって、上部突起４ｃにより皮膚が傷つくことを、下部突起４ｂによって防いでいる。従来の孫の手でみられたような、かゆみがなかなか取れない場合に、強い力でこすり、皮膚を傷つけてしまう、といったことが回避される。高齢者では皮膚が弱くなっているため傷つきやすく、また、高齢者では、傷は治りにくいため、傷をつけないように配慮することは重要なことである。また、上部突起４ｃがあることによって、筋力が低下した高齢者の弱い力であっても皮膚に適度な刺激を与えることができ、確実にかゆみを解消することができる。
【００３９】
凸状球形面４ａには、掻痒部４が皮膚の面上を移動する際に、皮膚が受ける力がなだらかに増加、減少するため、引っかかりにくくなり、皮膚を傷つけることがないという作用がある。また、下部突起４ｂ、上部突起４ｃを平面に配置した場合であれば、掻痒部４と皮膚が傾いて接したとき、端部の突起が片当りし、力が集中して皮膚を傷つけることが考えられるが、下部突起４ｂ、上部突起４ｃは、凸状球形面４ａ上に配置されているので、掻痒部４と皮膚が傾いて接したとしても、端部が片当りして皮膚を傷つけることがない。このように、掻痒部４を三重構造としたことで、皮膚を傷つけることなく、かゆみを容易に解消できるものとすることができる。
【００４０】
上記したように、本実施形態では、ラッチ１１を操作して受け溝１０を選択することにより、４つの角度から使いやすい角度を選択して使用することができる。角度を１８０度とした場合、全体が６００［ｍｍ］程度の長さとなるため、加齢により肩等の関節の可動範囲が狭くなった人でも、背中の下部や腰も掻くことができる。角度を９０度とした場合には、肩から下の部分は第１本体部２だけとなるため、長さは３００［ｍｍ］程度となるが、背中の上部を掻くことは、十分にできる。
【００４１】
また、加齢によりさらに関節の可動範囲が狭くなった人にとっては、腕が上がりにくいため、第１本体部２と第２本体部３との角度を１８０度としたときには、背中を掻くことが困難な場合や、苦痛を感じる場合があるが、１５０度、１２０度、９０度などの角度を選択すれば、たとえば、胸のあたりまでしか腕が上がらずとも、背中を掻くことができ、腕を大きく上げることの苦痛が軽減される。
【００４２】
さらに、特に第１本体部２と第２本体部３との角度を９０度〜１５０度として角度を持たせて固定した場合は、別の作用があることがわかった。本体部が直線状に構成された従来の孫の手では、孫の手を上下方向に動かして皮膚を掻くだけであったが、角度を９０度〜１５０度とした場合には、第２本体部３を体の前方方向に引くことにより第１本体部２の掻痒部４が、背中の皮膚の面に対して垂直に、身体の前方方向に押圧することができる。
【００４３】
皮膚がかゆい場合、皮膚をこすらずに押圧しただけでも痒みが解消される場合がある。この場合、皮膚を傷つけることは皆無となる。また、皮膚と掻痒部４の位置関係を維持したまま、こすらずに、皮膚に対して水平方向に往復運動や円周運動を行えば、背中のマッサージをすることができる。この場合も皮膚を傷つけることがない。さらに、単に押圧することにより、背中の筋肉を自分で指圧することができる。第１本体部２と第２本体部３とのなす角度を９０度〜１５０度とした場合には、力が加えやすいため、以上のような効果がある。
【００４４】
（薬品塗布具としての使用方法１）
本実施形態の孫の手１は、背中などのかゆい部分を掻くほか、前記の携帯性や角度が選択できることを利用して、薬品容器を保持して背中などに薬品を塗布するものとして使用することもできる。この場合の使用方法について説明する。
【００４５】
図７（ａ）、（ｂ）は、本実施形態で想定している薬品容器１２を示している。ここでは、容器から直接皮膚に塗布することができる、液剤タイプの外用鎮痛消炎薬や虫さされ用の薬品として販売されているものなどを使用する。
【００４６】
薬品容器１２はポリプロピレン（ＰＰ）などの材質であり、上部にキャップ（不図示）を装着するための雄ねじ部１４が一体に設けられていて、上部先端に別部材からなるスポンジジ状の塗布面１３がある。塗布面１３の内部には、不図示の弁があり、塗布面が皮膚に押し付けられると弁が開き、このとき容器内部の薬品の液面より弁が下にあるように容器が傾けられている場合、薬品が塗布面に達し、皮膚に塗布することができる。
【００４７】
図７（ａ）は、雄ねじ部と塗布面が容器底面と略同軸となるよう設けられているタイプであり、図７（ｂ）は、肩等に塗布する場合に腕をあまり上げなくとも容易に塗布できるように、雄ねじ部と塗布面の軸が容器底面の軸に対して傾いているタイプである。
【００４８】
図１〜３に示すように、固定部材６ｂは、一部が第２本体部３の表面に露出し、この面に滑り止めのための複数の溝が設けてあり、指を掛けられるようになっている。また、一部が穴６ａ内に退避可能に侵入するようになっている。固定部材６ｂはコイルばね６ｃで穴６ａの中心方向へ付勢されているので、指によりヒンジ部７の方向に力を加えて穴６ａから退避させ、薬品容器１２の雄ねじ部１４を穴６ａに挿通する。指を放すと固定部材６ｂにより、雄ねじ部１４は穴６ａ内に固定され、薬品容器１２は保持され、図８に示した状態となる。
【００４９】
液剤タイプの薬品の塗布具として使用する場合は、第１本体部２と第２本体部３とを開いて、所定の角度に固定したのち、上記のように第２本体部３の容器保持部６に薬品容器１２を保持し、第１本体部２等の任意の部分を手で握り、薬品容器１２の塗布面１３を背中などの塗布したい部位に接触させて使用する。
【００５０】
背中を掻くために使用する場合と同様に、ラッチ１１を操作して受け溝１０を選択することにより、４つの角度から使いやすい角度を選択して使用することができる。角度を１８０度とした場合、加齢により肩等の関節の可動範囲が狭くなった人でも、背中の下部や腰に薬品を塗布することができる。加齢などによりさらに関節の可動範囲が狭くなった人には、１５０度、１２０度、９０度などの角度を選択すれば、背中に薬品を塗布することができる。
【００５１】
また、薬品容器１２を保持する場所を、塗布面１３近傍のキャップを装着するための雄ねじ部１４としたことにより、目視確認ができない背中に塗布する場合であっても、動きが安定し、薬品を塗布する操作が容易となる。薬品容器１２の胴部や底部で保持する場合では、保持する場所が、塗布時に皮膚から力を受ける塗布面１３から離れているため、特に筋力が低下している場合や、扱いに馴れていない場合には、薬品容器１２が皮膚に対して倒れるような動きが発生しやすくなり、操作には習熟が必要である。本実施形態では、塗布面１３の近傍で保持するため、このようなことがなく、塗りすいものとすることができる。
【００５２】
また、保持する場所を雄ねじ部１４としたことにより、塗布時に第２本体部３を背中と平行に近くすることができるため、扱いやすいものとすることができる。薬品容器１２の胴部や底部で第２本体部３に対して直角に保持するようにした場合では、薬品容器１２のたて方向の寸法の影響により、第２本体部３を背中と平行に保つことがむずかしくなり、感覚的に操作しづらいものとなる。結果として薬品容器は背中に対して直角にならず、程度によっては塗布面１３が片当りして、不快に感じる場合がある。
【００５３】
また、保持する場所を雄ねじ部１４としたことにより、図７（ｂ）に示したような、雄ねじ部と塗布面の軸が容器底面の軸に対して傾いているタイプの容器を使用することができるという利点がある。
【００５４】
なお、一般に、雄ねじ部をクランプして固定することは、ねじ山をつぶしてしまい、雌ねじとの締結不具合が発生することから、忌避されることである。しかし、薬品容器１２のような容器では、雄ねじ部は、金型に合成樹脂を射出成形することなどにより形成しており、ねじ山の先端は凸のＲ形状となっていて、金属製のねじのようにとがってはおらず、つぶれにくい。本実施形態の容器保持部６で実験してみると、薬品容器１２のねじ山には、変形やつぶれ等の不都合が生じないことがわかった。
【００５５】
（薬品塗布具としての使用方法２）
本実施形態の孫の手１は、液体状の薬品のほか、チューブやびんに入れて提供される軟膏剤タイプの薬品を塗布することもできる。図９に示すように、第２本体部３の一端側に設けられた突出部８をティッシュペーパーや綿布などの繊維シート部材で覆い、溝９の上からゴムバンドや輪ゴムなどで留め、動かないようにする。図９のように突出部８の外側に相当する部分に軟膏やゲル状の薬品を塗布し、患部に塗るようにする。
【００５６】
軟膏剤タイプの薬品の塗布具として使用する場合も、液剤タイプの薬品の場合と同様に、まず、第１本体部２と第２本体部３とを開いて、所定の角度に固定する。そののちに、上記のように第２本体部３の突出部８に固定したティッシュペーパー等に軟膏剤タイプの薬品を塗布し、第１本体部２等の任意の部分を手で握り、塗布した部分を背中などの塗布したい部位に接触させて使用する。
【００５７】
ティッシュペーパーや綿布は簡単に新しいものと交換して使用することができ、衛生的である。また、容易に交換できるので、他人に貸与したり、他人と共用したりする場合に、抵抗なく使用することができる。この場合も、背中などのかゆい部分を掻くために使用する場合と同様に、所定の角度の内から、もっとも使いやすい角度を選択できる。
【００５８】
（変形例）
なお、本発明は上述した実施形態や変形例に限定されるものではなく、本発明の主旨を逸脱しない範囲で種々の変更を施すことが可能であることはいうまでもない。
【００５９】
実施形態では、第１本体部２と第２本体部３とからなるとしたが、一体の本体部としてもよい。この場合、折りたたむことや、使用時の角度を選択することはできないが、全長を短くすれば、携帯性は犠牲にならず、小柄な人を対象とする場合、十分なときがある。また、この場合、本体部を湾曲させたり、所定の角度で折り曲げた形態としてもよい。
【００６０】
一体とした場合であっても、薬品容器を保持して背中などに塗布するものとして使用するときの、動きが安定し、薬品を塗りすいものとすることができるという効果や、雄ねじ部と塗布面の軸が容器底面の軸に対して傾いているタイプの容器を使用することができるという効果は、同様である。
【００６１】
実施形態では、いろいろな製薬会社の製品に対応できるよう、容器保持部６は、穴６ａと固定部材６ｂとにより容器を保持するものとしたが、製品を限定する場合は、穴６ａの内周に、容器の雄ねじに対応するような雌ねじを形成して、薬品容器１２の雄ねじ部１４をねじ込んで保持するようにしてもよい。
【００６２】
また、実施形態では、容器保持部６に穴６ａを設けるものとしたが、図１０に示したように、穴６ａに替えて、切欠きを設け、薬品容器１２の雄ねじ部１４を挿通して保持するようにしてもよい。また、いわゆる洗濯ばさみのような構造で、雄ねじ部１４挿通してばね力ではさみ込み保持するようにしてもよい。
【００６３】
また、固定部材６ｂをコイルばねで押圧するものとしたが、他の弾性部材であってもよく、あるいは、弾性部材をなくして、薬品容器１２の雄ねじ部１４挿通したのち、第２本体部３に設けたねじで、固定部材６ｂを固定して使用するようにしてもよい。
実施形態では、使用時に４つの角度を選択可能としたが、１８０度と９０度などの２つだけであってもよい。この場合、ヒンジ部の構造を簡略化できる。
【００６４】
また、繊維シート部材をゴムバンドなどで留めるとしたが、図１１に示したように、突出部８を第２本体部３の一端側（孫の手１の全体としてみた場合、他端の側である）に引き出し可能なものとして、繊維シート部材を折り込むなどして、矢印で示したヒンジ部７の方向に移動させて、突出部８と第２本体部３との間にはさみ込んで固定すれば、ゴムバンドなどを不要なものとすることができる。突出部８を固定する構造は、ノッチ（Ｖ溝）と板バネによるクリックなどの構造や、その他の知られた構造が利用できる。
【符号の説明】
【００６５】
１  孫の手
２  第１本体部
３  第２本体部
４  掻痒部
４ａ  凸状球形面
４ｂ  下部突起
４ｃ  上部突起
５  ヒンジ部
６  容器保持部
６ａ  穴
６ｂ  固定部材
６ｃ  コイルばね
７  ヒンジ部
８  突出部
９  溝
１０  ラッチ
１１、１１ａ〜ｅ  受け溝
１２  薬品容器
１３  塗布面
１４  雄ねじ部
【図１】
2014233587.tif 000003
【図２】
2014233587.tif 000004
【図３】
2014233587.tif 000005
【図４】
2014233587.tif 000006
【図５】
2014233587.tif 000007
【図６】
2014233587.tif 000008
【図７】
2014233587.tif 000009
【図８】
2014233587.tif 000010
【図９】
2014233587.tif 000011
【図１０】
2014233587.tif 000012
【図１１】
2014233587.tif 000013